(57)【要約】【課題】トッププレート上に荷重がかかっても、変形／破壊される可能性が少ない上に、フレーム枠（枠体）の幅を最小限に抑えられ、デザイン的にも向上し、さらにトッププレート面の拡大による調理の使い勝手の向上を図ること。【解決手段】トップユニット部３２は保持部材３３と、それに載置され全周を接着剤３４で接着されるトッププレート３５と、トッププレート３５の上方より外周を覆う枠体３６とより構成。【選択図】  図１
2004311338.tif 000002
【特許請求の範囲】
【請求項１】
外郭を構成する本体と、前記本体の上面を覆い前記本体に固定されるトップユニット部を有し、前記トップユニット部は、平板状のトッププレートと、前記トッププレートを載置し外周部を接着し保持する保持部材と、前記トッププレートの外周を上方より覆う枠体とを備えて構成した誘導加熱調理器。
【請求項２】
保持部材のトッププレート接着領域もしくはトッププレート載置面は、外郭を構成する本体の側面より内側まで延長した請求項１に記載の誘導加熱調理器。
【請求項３】
枠体とトッププレート外周の上面接触面に空間層を設け、前記空間層に接着剤を塗布した請求項１または２に記載の誘導加熱調理器。
【請求項４】
枠体の前方と保持部材の前方とを係合させる係合部を設け、前記枠体を回動させることにより着脱自在とした請求項１または２に記載の誘導加熱調理器。
【請求項５】
枠体とトッププレート外周の上面接触面に空間層を設け、前記空間層内にシール剤を備えた請求項４に記載の誘導加熱調理器。
【請求項６】
保持部材に、外郭を構成する本体と前方で結合するフック部を一体に設けた請求項１〜５のいずれか１項に記載の誘導加熱調理器。
【請求項７】
保持部材を加熱コイルの外周近傍まで接近させた請求項１〜６のいずれか１項に記載の誘導加熱調理器。
【請求項８】
保持部材に、トッププレートを載置する際の当接用突起部を設けた請求項１〜７のいずれか１項に記載の誘導加熱調理器。
【発明の詳細な説明】
【０００１】
【発明の属する技術分野】
本発明は、一般家庭のキッチンで使用する誘導加熱調理器に関し、特にトップユニット部の構成に関する。
【０００２】
【従来の技術】
従来、この種の誘導加熱調理器を、図１０〜１２に示す組み込み式誘導加熱調理器を例にとり説明する。図に示すように、加熱する鍋等を載せる結晶化ガラス等のセラミック製のトッププレート１と、鉄鋼板製で平面部分２と傾斜部分３とで形成されたフレーム壁部４と、断面がほぼコの字形にされ複数箇所にバーリング孔５を有する固定部６と、前記フレーム壁部４と前記固定部６をスポット溶接で固着してフレーム枠７を構成する。
【０００３】
そして、前記フレーム枠７は前部辺８と、左右側辺９と、後部辺１０と、後部辺１０近辺に固定辺１１を形成し、コーナー部をアルゴン溶接で固着したホーロー仕上げを施し、前部辺８には誘導加熱方式の加熱コイル１２や制御部および冷却ファン（図示せず）を内蔵したトップヒーター箱１３の係合片１４に係合する係合部１５をスポット溶着で固着し、前記フレーム枠７の固定辺１１は前記トップヒーター箱１３とビスで固着されている。
【０００４】
また、鉄鋼板製でホーロー仕上げした吸排気グリル１６は吸気孔１７を有し、前記フレーム枠７の後部辺１０と固定辺１１との間に載置され、システムキッチンの天板１８とフレーム枠７間をシールするパッキンＡ１９がフレーム枠７に接着固定されている。
【０００５】
そして、前記トップヒーター箱１３を前記天板１８に固定させ、その端面をトップヒーター箱１３に固定させる当て板２０を設け、前記フレーム枠７に前記トッププレート１を取り付ける固定金具２１は、トッププレート１をパッキンＢ２２を介して平面部分２に押圧固定するために前記固定部６のバーリング孔５にビスにより固定される。
【０００６】
また、トップヒーター箱１３は当て板２０で天板１８に固定され、トッププレート１と固着されたフレーム枠７は前部を係合部１５を介してトップヒーター箱１３の係合片１４に係合され、後部は固定辺１１を介してビスでトップヒーター箱１３に固定される（例えば、特許文献１参照）。
【０００７】
一般に、トップユニット部は、図１３に示すように、フレーム枠２５の空間部２６に接着剤２７を充填し、その保持力のみでトッププレート２８を保持し、かつ調理時の吹きこぼれ等によるシール性を確保して、内部への水等の侵入を防止している。
【０００８】
本図は、トッププレート２８をフレーム枠２５に接着固定した他の従来例である。
【０００９】
【特許文献１】
特許第３０５４８３６号公報（第２２〜２４頁、図１０〜１２）
【００１０】
【発明が解決しようとする課題】
しかしながらこのような従来の構成では、トッププレートの上からの荷重方向（トッププレート上に鍋等が置かれたときや、掃除のときに使用者がトッププレート上面より押さえつける状態）に対して、トッププレートを固定する固定金具で片持ちで支えているのみであるため、強度的に弱く、万一変形すると本体内部にトッププレートとフレーム枠の隙間から水等が侵入して故障の原因になる可能性がある。
【００１１】
さらに、固定金具を取り付けるコの字状の固定部の取り付けエリアの確保や、シール性を保つためのシールパッキンの幅確保のため、フレーム枠の幅寸法の確保をする必要があり、デザイン的に制約を受ける上に、フレーム枠の幅が広いため、必然的にトッププレート面積が小さくなり、複数個の鍋がトッププレート上に同時に置けなくなる等の課題がある。
【００１２】
この現象は、図１３に示す近年多く見られる接着のみの構成ではさらに顕著になって現れる。
【００１３】
また、特にトッププレートの前方コーナー部は、設置工事時に応力がかかりやすい個所であるが、強度部材は基本的にフレーム枠のみのため、変形しやすく最悪の場合トッププレートが破壊されるという可能性もある。
【００１４】
【課題を解決するための手段】
前記従来の課題を解決するために、本発明の誘導加熱調理器は、外郭を構成する本体と、前記本体の上面を覆い、前記本体に固定されるトップユニット部を有し、前記トップユニット部は平板状のトッププレートを載置して全周を接着する保持部材を有し、かつ前記トッププレート上方より前記トッププレート外周を覆う枠体を設けた構成とした。
【００１５】
そしてこの構成により、トッププレートは保持部材の上に載置されているため、トッププレートの上からの荷重方向（トッププレート上に鍋等が置かれたときや、掃除のときに使用者がトッププレート上面より押さえつける状態）に対して十分な強度を有しており、変形等による本体内部への水等の侵入の可能性は著しく減少するとともに、トッププレート下面での接着で、上面からはトッププレート外周を覆う枠体を載置する構成であるため、必要に応じて接着量を増加させてシール性の向上を図っても枠体の幅を自由に決めることができ、デザイン上の制約を受けることはなく、また、枠体の幅を狭く設定できるのでトッププレート面積も余裕を持って確保することができ、調理時の使用勝手が大幅に向上するものである。
【００１６】
さらに、トッププレートのコーナー部も保持部材と枠体のサンドイッチ構成であるため、強度的に非常に強く、設置工事時の不意のコーナー部への応力にも十分耐えることができ、トッププレート破壊の可能性も著しく減少させることができる。その上、枠体をトッププレート上に載置しているだけ、もしくは仮固定しているだけの構成ならば、枠体の交換はきわめて容易で、たとえば色替えや材質の表面処理替え等のバリエーション展開を行うことができるものである。
【００１７】
【発明の実施の形態】
請求項１に記載の発明は、外郭を構成する本体と、前記本体の上面を覆い前記本体に固定されるトップユニット部を有し、前記トップユニット部は、平板状のトッププレートと、前記トッププレートを載置し外周部を接着し保持する保持部材と、前記トッププレートの外周を上方より覆う枠体とを備えて構成した。
【００１８】
そしてこの構成により、トッププレートは保持部材の上に載置されているため、トッププレートの上からの荷重方向（トッププレート上に鍋等が置かれたときや、掃除のときに使用者がトッププレート上面より押さえつける状態）に対して十分な強度を有しており、変形等による本体内部への水等の侵入の可能性は著しく減少するとともに、トッププレート下面での接着で、上面からはトッププレート外周を覆う枠体を載置する構成であるため、必要に応じて接着量を増加させてシール性の向上を図っても枠体の幅を自由に決めることができ、デザイン上の制約を受けることはなく、また、枠体の幅を狭く設定できるのでトッププレート面積も余裕を持って確保することができ、調理時の使用勝手が大幅に向上するものである。
【００１９】
さらに、トッププレートのコーナー部も保持部材と枠体のサンドイッチ構成であるため、強度的に非常に強く、設置工事時の不意のコーナー部への応力にも十分耐えることができ、トッププレート破壊の可能性も著しく減少させることができる。その上、枠体をトッププレート上に載置しているだけ、もしくは仮固定しているだけの構成ならば、枠体の交換はきわめて容易で、たとえば色替えや材質の表面処理替え等のバリエーション展開を行うことができるものである。
【００２０】
請求項２に記載の発明は、保持部材のトッププレート接着可能領域もしくは載置面は、外郭を構成する本体の側面より内側まで延長した構成とした。
【００２１】
この構成により、トッププレート前方部にかかる応力（側面部の折り曲げ部に集中）に対して、保持部材で応力緩和を行うため、トッププレート破壊の可能性がさらに減少するものである。
【００２２】
請求項３に記載の発明は、枠体とトッププレート外周の上面接触面に空間層を設け、前記空間層に接着剤を塗布した構成とした。
【００２３】
この構成により、枠体は確実にトッププレートに固定できるとともに、本体内部への水等の侵入もより確実に防止することができるものである。
【００２４】
請求項４に記載の発明は、枠体の前方と保持部材の前方とに相対する係合部を設け、前記枠体を回動させることにより着脱自在とした構成とした。
【００２５】
この構成により、枠体は確実にトッププレートに固定できるとともに、係合部を解除することにより、枠体の交換はきわめて容易で、たとえば色替えや材質の表面処理替え等のバリエーション展開を行うことができるものである。
【００２６】
請求項５に記載の発明は、枠体とトッププレート外周の上面接触面に空間層を設け、前記空間層内にシール剤を備えた構成とした。
【００２７】
この構成により、枠体は確実にトッププレートに固定できるとともに、係合部を解除することにより、枠体の交換はきわめて容易で、たとえば色替えや材質の表面処理替え等のバリエーション展開を行うことができる上に、シール剤により、より確実に水等の本体内浸入を防止することができるものである。
【００２８】
請求項６に記載の発明は、保持部材に、外郭を構成する本体と前方で結合するフック部を一体に設けた構成とした。
【００２９】
この構成により、フック部をビス等であと固定する必要がなくなり、作業性・組み立て性の向上、またコストダウンが図れることとなる。
【００３０】
請求項７に記載の発明は、保持部材を加熱コイルの外周近傍まで接近させた構成とした。
【００３１】
この構成により、加熱コイルから発生する漏えい磁界は近傍まで接近している保持部材により、減少させることができるものである。
【００３２】
なお、接近させる距離は、漏えい磁界の強度、保持部材の磁界による発熱度、本体全体の冷却性能等を加味した上で決定する寸法である。
【００３３】
請求項８に記載の発明は、保持部材に、トッププレートを載置する際の当接用突起部を設けた構成とした。
【００３４】
この構成により、トッププレートを保持部材に接着する際に、位置決めが容易になり、作業性・組み立て性の向上が図れることとなる。
【００３５】
【実施例】
以下、本発明の実施例について、図面を参照しながら説明する。
【００３６】
（実施例１）
図１は、本発明の第１の実施例における組み込み式誘導加熱調理器の要部分解斜視図である。図２は図１におけるトップユニット部前方の断面図である。
【００３７】
なお、内部構成等は、従来例における図１２と基本的に同様であるので説明を省略する。
【００３８】
図１、図２において、３１は外郭本体であり、内部に加熱コイルや冷却用のファンモーター、制御基板等（図示せず）を有し、３２はトップユニット部で外郭本体３１を上方から覆う。トップユニット部３２は保持部材３３と、それに載置され全周を接着剤３４で接着されるトッププレート３５と、トッププレート３５の上方より外周を覆う枠体３６とより構成されている。３７は保持部材３３の前辺部に下方よりビスＡ３８で固定されるフック部でトップユニット部３２が外郭本体３１にセットされた後、前方よりビスＢ３９にて固定される。さらにトップユニット部３２は保持部材３３と枠体３６に設けられた穴部を介してビスＣ４０にて外郭本体３１に固定されている。４１は冷却用の大気を吸い込む吸気孔４２等を覆う吸排気パネルである。
【００３９】
以上のように構成されたトップユニット部構成について、以下その動作、作用を説明する。
【００４０】
トッププレート３５は保持部材３３の上に載置されているため、トッププレート３５の上からの荷重方向Ｆ（トッププレート３５上に鍋等が置かれたときや、掃除のときに使用者がトッププレート３５上面より押さえつける状態）に対して十分な強度を有しており、変形等による本体内部への水等の侵入の可能性は著しく減少するとともに、トッププレート３５下面での接着で、上面からはトッププレート３５外周を覆う枠体３６を載置する構成であるため、必要に応じて接着剤３４の量を増加させてシール性の向上を図っても枠体３６の幅Ｗを自由に決めることができ、デザイン上の制約を受けることはなく、また、枠体３６の幅Ｗを狭く設定できるのでトッププレート３５の面積も余裕を持って確保することができ、調理時の使用勝手が大幅に向上するものである。
【００４１】
さらに、トッププレート３５のコーナー部４３も保持部材３３と枠体３６のサンドイッチ構成であるため、強度的に非常に強く、設置工事時の不意のコーナー部４３への応力にも十分耐えることができ、トッププレート３５破壊の可能性も著しく減少させることができる。その上、枠体３６をトッププレート３５上に載置しているだけ、もしくは仮固定しているだけの構成ならば、枠体３６の交換はきわめて容易で、たとえば色替えや材質の表面処理替え等のバリエーション展開を行うことができるものである。
【００４２】
（実施例２）
本発明の第２の実施例について説明する。図３において、５１は外郭本体の前方部で、上方より保持部材５２、接着剤５３によって固定されたトッププレート５４、その上方に枠体５５を載置されたトップユニット部５６で上方より覆設され、保持部材５２に固定されたフック部５７にて、結合されている。このとき、保持部材５２の接着面およびトッププレート５４の載置面は外郭本体５１の前方側面部５８より内側（い部）まで延長されている。
【００４３】
この構成により、トッププレート５４前方部にかかる応力（側面部の折り曲げ部５９に集中）に対して、保持部材５２で応力緩和を行うため、トッププレート５４破壊の可能性がさらに減少するものである。
【００４４】
（実施例３）
本発明の第３の実施例について説明する。図４において、６１は外郭本体の前方部で、上方より保持部材６２、接着剤６３によって固定されたトッププレート６４、その上方に枠体６５を載置されたトップユニット部６６で上方より覆設されている。枠体６５は、トッププレート６４外周の上面接触面に空間層６７を具備し、そこに接着剤Ｂ６８を充填されている。
【００４５】
この構成により、枠体は確実にトッププレートに固定できるとともに、本体内部への水等の侵入もより確実に防止することができるものである。
【００４６】
（実施例４）
本発明の第４の実施例について説明する。図５において、７１は外郭本体の前方部で、上方より保持部材７２、接着剤７３によって固定されたトッププレート７４、その上方に枠体７５を載置されたトップユニット部７６で上方より覆設されている。枠体７５の前方と保持部材７２の前方には、それぞれ係合する枠体係止片７７と保持部材係止片７８を設けている。
【００４７】
この構成により、枠体７５は確実にトッププレート７４に固定できるとともに、係合部７７／７８を解除（トップユニット部７６の後方の固定ビスをはずし、回動させながらスライドさせる）することにより、枠体７５の交換はきわめて容易で、たとえば色替えや材質の表面処理替え等のバリエーション展開を行うことができるものである。
【００４８】
（実施例５）
本発明の第５の実施例について説明する。図６において、８１は外郭本体の前方部で、上方より保持部材８２、接着剤８３によって固定されたトッププレート８４、その上方に枠体８５を載置されたトップユニット部８６で上方より覆設されている。枠体８５は、トッププレート８４外周の上面接触面に空間層８７を具備し、そこにシール剤８８を備えている。
【００４９】
この構成により、枠体８５は確実にトッププレート８４に固定できるとともに、係合部８９／９０を解除（トップユニット部８６の後方の固定ビスをはずし、回動させながらスライドさせる）することにより、枠体８５の交換はきわめて容易で、たとえば色替えや材質の表面処理替え等のバリエーション展開を行うことができる上に、シール剤８８により、より確実に水等の本体内浸入を防止することができるものである。
【００５０】
（実施例６）
本発明の第６の実施例について説明する。図７において、９１は外郭本体の前方部で、上方より保持部材９２、接着剤９３によって固定されたトッププレート９４、その上方に枠体９５を載置されたトップユニット部９６で上方より覆設され、保持部材９２に一体に形成されたフック部９７にて、結合されている。
【００５１】
この構成により、フック部９７をビス等であと固定する必要がなくなり、作業性・組み立て性の向上、またコストダウンが図れることとなる。
【００５２】
（実施例７）
本発明の第７の実施例について説明する。図８において、１０１は保持部材であり、外周に設けられた接着剤溝部１０２に接着剤を塗布し、トッププレートを載置、接着する。トッププレートの載置部１０３には、加熱コイルの外形にあわせて任意の隙間を設けるように開口部１０４を設けてある。これにより、加熱コイルの外周近傍には、保持部材１０１が存在することとなる。１０５は外郭本体と結合させるためのフック部で、保持部材１０１の下方より取り付け固定される。
【００５３】
この構成により、加熱コイルから発生する漏えい磁界は近傍まで接近している保持部材１０１により、減少させることができるものである。
【００５４】
なお、接近させる距離は、漏えい磁界の強度、保持部材１０１の磁界による発熱度、本体全体の冷却性能等を加味した上で決定する寸法である。
【００５５】
（実施例８）
本発明の第８の実施例について説明する。図９において、１１１は外郭本体の前方部で、上方より保持部材１１２、接着剤１１３によって固定されたトッププレート１１４、その上方に枠体１１５を載置されたトップユニット部１１６で上方より覆設され、保持部材１１２に固定されたフック部１１７にて、結合されている。保持部材１１２には、トッププレート１１４を載置する際の当接用突起部１１８が設けられている。
【００５６】
この構成により、トッププレート１１４を保持部材１１２に接着する際に、位置決めが容易になり、作業性・組み立て性の向上が図れることとなる。
【００５７】
【発明の効果】
以上のように請求項１ないし８に記載の発明によれば、トッププレートは保持部材の上に載置されているため、トッププレートの上からの荷重方向（トッププレート上に鍋等が置かれたときや、掃除のときに使用者がトッププレート上面より押さえつける状態）に対して十分な強度を有しており、変形等による本体内部への水等の侵入の可能性は著しく減少するとともに、トッププレート下面での接着で、上面からはトッププレート外周を覆う枠体を載置する構成であるため、必要に応じて接着量を増加させてシール性の向上を図っても枠体の幅を自由に決めることができ、デザイン上の制約を受けることはなく、また、枠体の幅を狭く設定できるのでトッププレート面積も余裕を持って確保することができ、調理時の使用勝手が大幅に向上するものである。
【００５８】
さらに、トッププレートのコーナー部も保持部材と枠体のサンドイッチ構成であるため、強度的に非常に強く、設置工事時の不意のコーナー部への応力にも十分耐えることができ、トッププレート破壊の可能性も著しく減少させることができる。その上、枠体をトッププレート上に載置しているだけ、もしくは仮固定しているだけの構成ならば、枠体の交換はきわめて容易で、たとえば色替えや材質の表面処理替え等のバリエーション展開を行うことができるものである。また、シール性の向上、組み立て性の向上、更なるプレート強度の強化や漏えい磁界の低減等数々の効果を奏でることができるものである。
【図面の簡単な説明】
【図１】本発明の第１の実施例における組み込み式誘導加熱調理器の要部分解斜視図
【図２】本発明の第１の実施例における要部断面図
【図３】本発明の第２の実施例における要部断面図
【図４】本発明の第３の実施例における要部断面図
【図５】本発明の第４の実施例における要部断面図
【図６】本発明の第５の実施例における要部断面図
【図７】本発明の第６の実施例における要部断面図
【図８】本発明の第７の実施例における要部斜視図
【図９】本発明の第８の実施例における要部断面図
【図１０】従来の組み込み式誘導加熱調理器の要部断面図
【図１１】従来の組み込み式誘導加熱調理器の正面図
【図１２】従来の組み込み式誘導加熱調理器の断面図
【図１３】従来の他の組み込み式誘導加熱調理器の要部断面図
【符号の説明】
３１、５１、６１、７１、８１、９１、１１１  外郭本体
３２、５６、６６、７６、８６、９６、１１６  トップユニット部
３３、５２、６２、７２、８２、９２、１０１、１１２  保持部材
３５、５４、６４、７４、８４、９４、１１４  トッププレート
３６、５５、６５、７５、８５、９５、１１５  枠体
３４、５３、６３、７３、８３、９３、１１３  接着剤
５７、９７、１０５、１１７  フック部
５８    前方側面部
５９  側面部の折り曲げ部
６７、８７  空間層
６８  接着剤Ｂ
７７、８９  枠体係止片
７８、９０  保持部材係止片
８８  シール剤
１０２  接着剤溝部
１０３  トッププレート載置部
１０４  開口部
１１８  当接用突起部
【図１】
2004311338.tif 000003
【図２】
2004311338.tif 000004
【図３】
2004311338.tif 000005
【図４】
2004311338.tif 000006
【図５】
2004311338.tif 000007
【図６】
2004311338.tif 000008
【図７】
2004311338.tif 000009
【図８】
2004311338.tif 000010
【図９】
2004311338.tif 000011
【図１０】
2004311338.tif 000012
【図１１】
2004311338.tif 000013
【図１２】
2004311338.tif 000014
【図１３】
2004311338.tif 000015